【手続補正書】
【提出日】平成28年1月7日(2016.1.7)
【手続補正１】
【補正対象書類名】特許請求の範囲
【補正対象項目名】全文
【補正方法】変更
【補正の内容】
【特許請求の範囲】
【請求項１】
画像を入力する入力手段と、
前記画像を撮影した際の属性情報を取得する取得手段と、
前記画像の画像特徴を抽出する抽出手段と、
前記画像と前記属性情報と前記画像特徴を関連付けて記憶する記憶手段と、
前記属性情報ごとの前記画像において共起する画像特徴の数に基づいて、前記入力手段で入力された検索元画像について前記抽出手段で抽出した画像特徴のうち検索元画像の検索のために使用する画像特徴と使用を制限する画像特徴とに選別する選別手段と、
前記検索元画像の検索のために使用すると選別された検索元画像の画像特徴と、前記記憶手段に記憶されている登録画像の画像特徴とを比較する比較手段と、
を有することを特徴とする画像検索装置。
【請求項２】
前記属性情報ごとの前記画像において共起する画像特徴の数が所定数よりも少ない画像特徴リストを前記属性情報ごとに生成する生成手段を更に有し、
前記選別手段は、前記入力手段で入力された検索元画像について前記抽出手段で抽出した画像特徴のうち、前記取得手段で取得した前記検索元画像の前記属性情報に対応する前記画像特徴リストに存在する画像特徴に基づいて検索元画像の検索のために使用する画像特徴と使用を制限する画像特徴とに選別することを特徴とする請求項１に記載の画像検索装置。
【請求項３】
前記比較手段で使用する前記検索元画像の画像特徴の総サイズ或いは画像特徴の個数が予め定められていることを特徴とする請求項１または２に記載の画像検索装置。
【請求項４】
前記属性情報は、場所および撮影方位、時間、天候、撮影モードおよび被写体属性の少なくとも１つであることを特徴とする請求項１から３のいずれか１項に記載の画像検索装置。
【請求項５】
前記生成手段は、前記属性情報の少なくとも１つが適合した登録画像に対する前記記憶手段に記憶された画像特徴の共起値が閾値よりも小さい或いは共起値が小さい順から定められた個数の画像特徴を画像特徴リストに記述することを特徴とする請求項２に記載の画像検索装置。
【請求項６】
前記生成手段は、前記属性情報の少なくとも１つが適合した登録画像に対する画像特徴と関連付けられて記憶されている画像の共起値が閾値よりも小さい或いは共起値が小さい順から定められた個数の画像特徴を画像特徴リストに記述することを特徴とする請求項２に記載の画像検索装置。
【請求項７】
前記生成手段は、前記属性情報の少なくとも１つが適合した登録画像に対する画像特徴と関連付けられて記憶されている画像の共起値に基づいて、ユーザが選択した画像特徴を画像特徴リストに記述することを特徴とする請求項２に記載の画像検索装置。
【請求項８】
前記生成手段では、前記画像の撮影場所における方向ごとの前記画像において共起する画像特徴の数が所定数よりも少ない画像特徴リストを前記方向ごとに生成することを特徴とする請求項２に記載の画像検索装置。
【請求項９】
前記選別手段では、前記検索元画像の画像特徴から前記画像特徴リストと一致する画像特徴を抽出することにより、画像特徴を選別することを特徴とする請求項２に記載の画像検索装置。
【請求項１０】
前記選別手段では、前記検索元画像の画像特徴から前記画像特徴リストに存在しない画像特徴を削除することにより画像特徴を選別することを特徴とする請求項２に記載の画像検索装置。
【請求項１１】
前記選別手段では、前記画像特徴リストと一致する画像特徴を前記検索元画像の画像特徴において識別することにより選別することを特徴とする請求項２に記載の画像検索装置。
【請求項１２】
前記場所および撮影方位は、ＧＰＳ情報、方位情報、撮影高度情報の少なくとも１つであることを特徴とする請求項４に記載の画像検索装置。
【請求項１３】
前記時間は、前記撮影場所におけるローカルタイムであることを特徴とする請求項４に記載の画像検索装置。
【請求項１４】
前記天候は、天気、気温、湿度、気圧の少なくとも１つであることを特徴とする請求項４に記載の画像検索装置。
【請求項１５】
前記撮影モードは、カメラ撮影モードのダイヤル設定やフラッシュの有無、マクロ撮影、望遠撮影の少なくとも１つであることを特徴とする請求項４に記載の画像検索装置。
【請求項１６】
画像に対応する画像特徴と前記画像を撮影した際の属性情報を記憶する記憶手段と、
前記属性情報ごとの前記画像において共起する画像特徴の数に関する情報を、要求に応じて要求元に送信する送信手段と、
前記属性情報ごとの前記画像において共起する画像特徴の数に関する情報に基づいて、検索元画像の検索のために使用する画像特徴として要求元で選別された画像特徴を受信する受信手段と、
前記受信した検索元画像の画像特徴と前記記憶手段に記憶された画像特徴とを比較する比較手段と、
を有することを特徴とする画像検索装置。
【請求項１７】
検索元画像を入力する入力手段と、
前記検索元画像を撮影した際の属性情報を取得する取得手段と、
前記検索元画像の画像特徴を抽出する抽出手段と、
画像特徴リストを画像検索装置から受信する受信手段と、
前記検索元画像の画像特徴のうち、前記属性情報に対応する前記画像特徴リストに存在する画像特徴に基づいて検索元画像の検索のために使用する画像特徴と使用を制限する画像特徴とに選別する選別手段と、
前記検索元画像の検索のために使用すると選別された画像特徴を前記画像検索装置に送信する送信手段と、
を有することを特徴とする検索元画像提供装置。
【請求項１８】
画像を入力する入力工程と、
前記画像を撮影した際の属性情報を取得する取得工程と、
前記画像の画像特徴を抽出する抽出工程と、
前記画像と前記属性情報と前記画像特徴とを関連付けて記憶手段に記憶させる工程と、
前記属性情報ごとの前記画像において共起する画像特徴の数に基づいて、前記入力工程で入力された検索元画像について前記抽出工程で抽出した画像特徴のうち検索元画像の検索のために使用する画像特徴と使用を制限する画像特徴とに選別する選別工程と、
前記検索元画像の検索のために使用すると選別された画像特徴と、前記記憶手段に記憶された登録画像の画像特徴とを比較する比較工程と、
を有することを特徴とする画像検索方法。
【請求項１９】
画像に対応する画像特徴と前記画像を撮影した際の属性情報を記憶手段に記憶させる工程と、
前記属性情報ごとの前記画像において共起する画像特徴の数に関する情報を、要求に応じて要求元に送信する送信工程と、
前記属性情報ごとの前記画像において共起する画像特徴の数に関する情報に基づいて検索元画像の検索のために使用する画像特徴として要求元で選別された画像特徴を受信する受信工程と、
前記受信した検索元画像の画像特徴と前記記憶手段に記憶されている登録画像の画像特徴とを比較する比較工程と、
を有することを特徴とする画像検索方法。
【請求項２０】
検索元画像を入力する入力工程と、
前記検索元画像を撮影した際の属性情報を取得する取得工程と、
前記検索元画像の画像特徴を抽出する抽出工程と、
画像特徴リストを画像検索装置から受信する受信工程と、
前記検索元画像の画像特徴のうち、前記属性情報に対応する前記画像特徴リストに存在する画像特徴に基づいて検索元画像の検索のために使用する画像特徴と使用を制限する画像特徴とに選別する工程手段と、
前記検索元画像の検索のために使用すると選別された画像特徴を前記画像検索装置に送信する送信工程と、
を有することを特徴とする検索元画像提供方法。
【請求項２１】
コンピュータを、
画像を入力する入力手段と、
前記画像を撮影した際の属性情報を取得する取得手段と、
前記画像の画像特徴を抽出する抽出手段と、
前記画像と前記属性情報と前記画像特徴とを関連付けて記憶する記憶手段と、
前記属性情報ごとの前記画像において共起する画像特徴の数に基づいて、前記入力手段で入力された検索元画像について前記抽出手段で抽出した画像特徴のうち検索元画像の検索のために使用する画像特徴と使用を制限する画像特徴とに選別する選別手段と、
前記検索元画像の検索のために使用すると選別された検索元画像の画像特徴と、前記記憶手段に記憶されている登録画像の画像特徴とを比較する比較手段と、
として機能させるためのプログラム。
【請求項２２】
コンピュータを
画像に対応する画像特徴と前記画像を撮影した際の属性情報を記憶する記憶手段と、
前記属性情報ごとの前記画像において共起する画像特徴の数に関する情報を、要求に応じて要求元に送信する送信手段と、
前記属性情報ごとの前記画像において共起する画像特徴の数に関する情報に基づいて検索元画像の検索のために使用する画像特徴として要求元で選別された画像特徴を受信する受信手段と、
前記受信した検索元画像の画像特徴と前記記憶手段に記憶された画像特徴とを比較する比較手段と、
として機能させるためのプログラム。
【請求項２３】
コンピュータを、
検索元画像を入力する入力手段と、
前記検索元画像を撮影した際の属性情報を取得する取得手段と、
前記検索元画像の画像特徴を抽出する抽出手段と、
画像特徴リストを画像検索装置から受信する受信手段と、
前記検索元画像の画像特徴のうち、前記属性情報に対応する前記画像特徴リストに存在する画像特徴に基づいて検索元画像の検索のために使用する画像特徴と使用を制限する画像特徴とに選別する選別手段と、
前記検索元画像の検索のために使用すると選別された画像特徴を前記画像検索装置に送信する送信手段と、
として機能させるためのプログラム。
【手続補正２】
【補正対象書類名】明細書
【補正対象項目名】００１３
【補正方法】変更
【補正の内容】
【００１３】
本発明の画像検索装置は、画像を入力する入力手段と、前記画像を撮影した際の属性情報を取得する取得手段と、前記画像の画像特徴を抽出する抽出手段と、前記画像と前記属性情報と前記画像特徴を関連付けて記憶する記憶手段と、前記属性情報ごとの前記画像において共起する画像特徴の数に基づいて、前記入力手段で入力された検索元画像について前記抽出手段で抽出した画像特徴のうち検索元画像の検索のために使用する画像特徴と使用を制限する画像特徴とに選別する選別手段と、前記検索元画像の検索のために使用すると選別された検索元画像の画像特徴と、前記記憶手段に記憶されている登録画像の画像特徴とを比較する比較手段と、を有する。